(57)【要約】【課題】外観の悪化、強度の低下、製造コスト増を抑えつつ、外フラップ及び内フラップを開放状態で確実に固定できるようにする。【解決手段】各開放内フラップ４に基端縁４ａと平行な内フラップ切込み４ｘを、各開放外フラップ５に基端縁５ａと平行な外フラップ切込み５ｘを、各側壁２に基端縁４ａと平行な側壁切込み２ｘを、各側壁に基端縁５ａと平行な端壁切込み３ｘを、形成し、上開閉面Ｕの開放状態において、上開閉面Ｕの角を内側に押し込むことによってそれぞれのフラップが固定されるよう構成されたダンボール箱とする。【選択図】図６
2008254750.tif 000002
【特許請求の範囲】
【請求項１】
少なくとも３つの側面部からなる多角筒状の非開閉面と、
この非開閉面の上部開口及び下部開口をそれぞれ開閉する一対の開閉面と、を有し、
これら開閉面の少なくとも一方は、各側面部の上縁及び下縁のうち当該開閉面に隣接する縁を基端として延出されたフラップからなり、これらフラップを重ね合わせた状態で封緘されるように構成されるとともに、前記フラップが、それぞれ箱外側に折り曲げられた状態で非開閉面に固定できる開放フラップとして構成されている、ダンボール箱において、
これら上開閉面および下開閉面の少なくとも一方におけるフラップが、それぞれ箱外側に折り曲げられて側面部に重ねられた開放姿勢で非開閉面に固定できる開放フラップとして構成されている、ダンボール箱において、
前記開放姿勢で隣り合う一対の開放フラップのうち、一方の開放フラップにおける他方の開放フラップ側の側部には、その基端縁に沿い且つその基端縁に対して第１の間隔を空けて、他方の開放フラップ側の側縁から延在する第１の切込みが一本のみ形成されるとともに、他方の開放フラップにおける一方の開放フラップ側の側部には、その基端縁に沿い且つその基端縁に対して第２の間隔を空けて、一方の開放フラップ側の側縁から延在する第２の切込みが一本のみ形成されており、
前記開放姿勢で、前記一方の開放フラップの側部と重なる一方の側面部の側部及び前記他方の開放フラップの側部と重なる側面部の側部のうち、一方の側面部の側部には、これと重なる一方の開放フラップの基端縁に沿い且つその基端縁に対して前記第１の間隔以上の第３の間隔を空けて、他方の側面部側の側縁から延在する第３切込みが一本のみ形成されるとともに、他方の側面部の側部には、これと重なる他方の開放フラップの基端縁に沿い且つその基端縁に対して前記第２の間隔以上の第４の間隔を空けて、一方の側面部側の側縁から延在する第４の切込みが一本のみ形成されており、これら第３の切込みにおける前記他方の側面部側の側縁と、前記第４の切込みにおける前記一方の側面部側の側縁とが、直接に又は他の切込みを介して間接的に連続している、
ことを特徴とするダンボール箱。
【請求項２】
左右一対の端壁と、前後一対の側壁とからなる四角筒状の非開閉面と、
この非開閉面の上部開口及び下部開口をそれぞれ開閉する一対の開閉面と、を有し、
これら開閉面の少なくとも一方は、各前記端壁の上縁及び下縁のうち当該開閉面に隣接する縁を基端として延出された内フラップ、及び各前記側壁の上縁及び下縁のうち当該開閉面に隣接する縁を基端として延出された外フラップからなり、内フラップの外側に外フラップが重ねられた状態で封緘されるように構成されるとともに、これら一対の内フラップ及び一対の外フラップが、それぞれ箱外側に折り曲げられた状態で非開閉面に固定できる一対の開放内フラップ及び一対の開放外フラップとして構成されている、ダンボール箱において、
前記開放外フラップが箱外側に折り曲げられて前記端壁外面に重ねられ、且つ前記開放内フラップが箱外側に折り曲げられて前記側壁外面に重ねられた開放姿勢で隣り合う前記開放外フラップの側部及び開放内フラップの側部のうち、開放外フラップの側部には、その基端縁に沿い且つその基端縁に対して第１の間隔を空けて、隣り合う開放内フラップ側の側縁から延在する開放外フラップ切込みが一本のみ形成されるとともに、開放内フラップの側部には、その基端縁に沿い且つその基端縁に対して第２の間隔を空けて、隣り合う開放外フラップ側の側縁から延在する開放内フラップ切込みが一本のみ形成されており、
前記開放姿勢で、前記開放外フラップ切込みを有する開放外フラップの側部と重なる端壁の側部及び前記開放内フラップ切込みを有する開放内フラップの側部と重なる側壁の側部のうち、端壁の側部には、これと重なる開放外フラップの基端縁に沿い且つその基端縁に対して前記第１の間隔以上の第３の間隔を空けて、隣り合う側壁側の側縁から延在する端壁切込みが一本のみ形成されるとともに、側壁の側部には、これと重なる開放内フラップの基端縁に沿い且つその基端縁に対して前記第２の間隔以上の第４の間隔を空けて、隣り合う端壁側の側縁から延在する側壁切込みが一本のみ形成されており、これら端壁切込みにおける前記隣り合う側壁側の側縁と、前記側壁切込みにおける前記隣り合う端壁側の側縁とが、直接に又は他の切込みを介して間接的に連続している、
ことを特徴とするダンボール箱。
【請求項３】
前記第３の間隔及び第４の間隔は互いに等しく、且つ前記非開閉面の高さの１／２０〜３／４とされており、
前記端壁切込みは、前記開放姿勢で重なる開放外フラップの基端縁と平行に延在し、前記側壁切込みは、前記開放姿勢で重なる開放内フラップの基端縁と平行に延在しており、
前記端壁切込みと前記側壁切込みとは直接に連続しており、
前記第１の間隔及び第２の間隔は互いに等しく、且つ前記フラップの延出長さの１／２０〜３／４とされており、
前記開放外フラップ切込みは前記開放外フラップの基端縁と平行に延在し、前記開放内フラップ切込みは前記開放内フラップの基端縁と平行に延在している、
請求項２記載のダンボール箱。
【発明の詳細な説明】
【技術分野】
【０００１】
本発明は、ダンボール箱に関するものであり、より詳細には、梱包に際して開閉面のフラップを箱外側に折り曲げた状態で非開閉面に固定することのできるダンボール箱に関するものである。
【背景技術】
【０００２】
一般的な段ボール箱は、左右一対の端壁と、前後一対の側壁とからなる四角筒状の非開閉面と、各前記端壁の上縁を基端として延出された内フラップ、及び各前記側壁の上縁を基端として延出された外フラップからなり、内フラップの外側に外フラップが重ねられた状態で封緘されるように構成された上開閉面と、各前記端壁の下縁を基端として延出された内フラップ、および各前記側壁の下縁を基端として延出された外フラップからなり、内フラップの外側に外フラップが重ねられた状態で封緘されるように構成された下開閉面とを有するものである。
このような段ボール箱では、内フラップ及び外フラップをそれぞれ外側に折り返した状態で、梱包物の出し入れ作業を行うことになるが、これら内フラップ及び外フラップが固定されていないと作業の邪魔になるという問題点がある。
このため、例えば特許文献１〜３に記載されているように、外フラップ及び内フラップに切り込みを設けるとともに、この切込みに対応させて端壁外面及び側壁外面にそれぞれ切込みを設け、外フラップ及び内フラップを箱外側に折り曲げて端壁外面及び側壁外面に重ねた状態で、外フラップの切込み部分及び内フラップの切込み部分を、端壁外面の切り込み部分及び側壁外面の切込み部分にそれぞれ押し込むことによって、外フラップ及び内フラップを開放状態で固定する技術が提案されている。
【特許文献１】実開平２−９０２２８号公報
【特許文献２】実開平２−８７７１８号公報
【特許文献３】特開２００３−２８５８２８号公報
【発明の開示】
【発明が解決しようとする課題】
【０００３】
しかしながら、従来の技術は、切込みの数が多いため、外観が悪化する、強度が低下する、製造コストが嵩む等の問題点があった。
そこで、本発明の主たる課題は、外観の悪化、強度の低下、製造コスト増を抑えつつ、外フラップ及び内フラップを開放状態で確実に固定できるようにすることにある。
【課題を解決するための手段】
【０００４】
上記課題を解決した本発明は次記のとおりである。
なお、本発明における、前・後・上・下・左・右とは、封緘状態において一方の外フラップが延出される一方の側壁を前（正面）とした方向を意味し、発明の説明の便宜上定めたものであって、製品として使用される際の方向を意味するものではない。
【０００５】
＜請求項１記載の発明＞
少なくとも３つの側面部からなる多角筒状の非開閉面と、
各前記側面部の上縁を基端として延出されたフラップからなり、フラップを重ね合わせた状態で封緘されるよう構成された上開閉面と、
各前記側面部の下縁を基端として延出されたフラップからなり、フラップを重ね合わせた状態で封緘されるよう構成された下開閉面と、を有し、
これら上開閉面および下開閉面の少なくとも一方におけるフラップが、それぞれ箱外側に折り曲げられて側面部に重ねられた開放姿勢で非開閉面に固定できる開放フラップとして構成されている、ダンボール箱において、
前記開放姿勢で隣り合う一対の開放フラップのうち、一方の開放フラップにおける他方の開放フラップ側の側部には、その基端縁に沿い且つその基端縁に対して第１の間隔を空けて、他方の開放フラップ側の側縁から延在する第１の切込みが一本のみ形成されるとともに、他方の開放フラップにおける一方の開放フラップ側の側部には、その基端縁に沿い且つその基端縁に対して第２の間隔を空けて、一方の開放フラップ側の側縁から延在する第２の切込みが一本のみ形成されており、
前記開放姿勢で、前記一方の開放フラップの側部と重なる一方の側面部の側部及び前記他方の開放フラップの側部と重なる側面部の側部のうち、一方の側面部の側部には、これと重なる一方の開放フラップの基端縁に沿い且つその基端縁に対して前記第１の間隔以上の第３の間隔を空けて、他方の側面部側の側縁から延在する第３切込みが一本のみ形成されるとともに、他方の側面部の側部には、これと重なる他方の開放フラップの基端縁に沿い且つその基端縁に対して前記第２の間隔以上の第４の間隔を空けて、一方の側面部側の側縁から延在する第４の切込みが一本のみ形成されており、これら第３の切込みにおける前記他方の側面部側の側縁と、前記第４の切込みにおける前記一方の側面部側の側縁とが、直接に又は他の切込みを介して間接的に連続している、
ことを特徴とするダンボール箱。
【０００６】
（作用効果）
本発明は、切込みを利用する点では従来と同様であるが、切込みの数を最小限に抑えつつ確実な開放固定を可能ならしめた点が相違するものである。本発明では、開放フラップを開放姿勢とした状態で、開放フラップにおける切込みと基端縁との間の部分を、その内側にあって、隣り合う側面部における開放フラップの基端縁と側面部切込みとの間の部分として定まる非開閉面の角部とともに一体的に箱内側に押し込むことにより、開放フラップを開放状態で固定することができる。そして、本発明では、押し込み部分の一方の境界が開放フラップの基端縁とされ、切り込みではないため、切り込みの数が少なくて済み、外観の悪化、強度の低下、製造コスト増を抑えながらも、フラップを開放状態で確実に固定できるようになる。また、本発明では、開放フラップにおける押し込み部分と、非開閉面の角部とが、開放フラップの基端縁において折り返され連続しているため、一体性が高く押し込みが容易になるという利点もある。
なお、本発明における「切込み」とは素材ダンボールの表裏に貫通するものであり、換言すれば切断部のことである。
【０００７】
＜請求項２記載の発明＞
左右一対の端壁と、前後一対の側壁とからなる四角筒状の非開閉面と、
各前記端壁の上縁を基端として延出された外フラップ、及び各前記側壁の上縁を基端として延出された内フラップからなり、内フラップの外側に外フラップが重ねられた状態で封緘されるように構成された上開閉面と、
各前記端壁の下縁を基端として延出された外フラップ、および各前記側壁の下縁を基端として延出された内フラップからなり、内フラップの外側に外フラップが重ねられた状態で封緘されるように構成された下開閉面と、を有し、
これら上開閉面および下開閉面の少なくとも一方における一対の内フラップ及び一対の外フラップが、それぞれ箱外側に折り曲げられた状態で非開閉面に固定できる一対の開放内フラップ及び一対の開放外フラップとして構成されている、ダンボール箱において、
前記開放外フラップが箱外側に折り曲げられて前記端壁外面に重ねられ、且つ前記開放内フラップが箱外側に折り曲げられて前記側壁外面に重ねられた開放姿勢で隣り合う前記開放外フラップの側部及び開放内フラップの側部のうち、開放外フラップの側部には、その基端縁に沿い且つその基端縁に対して第１の間隔を空けて、隣り合う開放内フラップ側の側縁から延在する開放外フラップ切込みが一本のみ形成されるとともに、開放内フラップの側部には、その基端縁に沿い且つその基端縁に対して第２の間隔を空けて、隣り合う開放外フラップ側の側縁から延在する開放内フラップ切込みが一本のみ形成されており、
前記開放姿勢で、前記開放外フラップ切込みを有する開放外フラップの側部と重なる端壁の側部及び前記開放内フラップ切込みを有する開放内フラップの側部と重なる側壁の側部のうち、端壁の側部には、これと重なる開放外フラップの基端縁に沿い且つその基端縁に対して前記第１の間隔以上の第３の間隔を空けて、隣り合う側壁側の側縁から延在する端壁切込みが一本のみ形成されるとともに、側壁の側部には、これと重なる開放内フラップの基端縁に沿い且つその基端縁に対して前記第２の間隔以上の第４の間隔を空けて、隣り合う端壁側の側縁から延在する側壁切込みが一本のみ形成されており、これら端壁切込みにおける前記隣り合う側壁側の側縁と、前記側壁切込みにおける前記隣り合う端壁側の側縁とが、直接に又は他の切込みを介して間接的に連続している、
ことを特徴とするダンボール箱。
【０００８】
（作用効果）
本項記載の発明は、一般的な六面体状の段ボール箱を対象としたものである。この場合、上記の利点に加えて、構造及び外観が簡素となる等の利点がもたらされる。
【０００９】
＜請求項３記載の発明＞
前記第３の間隔及び第４の間隔は互いに等しく、且つ前記非開閉面の高さの１／２０〜３／４とされており、
前記端壁切込みは、前記開放姿勢で重なる開放外フラップの基端縁と平行に延在し、前記側壁切込みは、前記開放姿勢で重なる開放内フラップの基端縁と平行に延在しており、
前記端壁切込みと前記側壁切込みとは直接に連続しており、
前記第１の間隔及び第２の間隔は互いに等しく、且つ前記フラップの延出長さの１／２０〜３／４とされており、
前記開放外フラップ切込みは前記開放外フラップの基端縁と平行に延在し、前記開放内フラップ切込みは前記開放内フラップの基端縁と平行に延在している、
請求項２記載のダンボール箱。
【００１０】
（作用効果）
本発明においては、切り込みの位置が本項記載の範囲内であると特に好ましい。
【発明の効果】
【００１１】
以上のとおり本発明によれば、外観の悪化、強度の低下、製造コスト増を抑えつつ、外フラップ及び内フラップを開放状態で確実に固定できるようになる、等の利点がもたらされる。
【発明を実施するための最良の形態】
【００１２】
以下、本発明の実施形態について添付図面を参照しつつ説明する。
図１は、本発明に係るダンボール箱１の実施形態を示している。このダンボール箱１は封緘状態で直方体状をなすものであり、左右一対の端壁３と、前後一対の側壁２とからなる四角筒状の非開閉面と、各端壁３の上縁から延出された外フラップ５、および各側壁２の上縁から延出された内フラップ４からなり、両内フラップ４の外側に両外フラップ５が重ねられた状態で封緘されるように構成された上開閉面Ｕと、各端壁３の下縁から延出された外フラップ７、および各側壁２の下縁から延出された内フラップ６からなり、両内フラップ６の外側に両外フラップ７が重ねられた状態で封緘されるように構成された下開閉面Ｂと、を有している。
【００１３】
符号８は、側壁２の側部と端壁３の側部とを連結するための糊代片を示している。この糊代片８により一方の側壁２とこれに隣接する端壁３とを連結することにより、四角筒状の非開閉面が形成される。なお、符号４ａは開放内フラップ４の基端縁、符号５ａは請求項に示される開放外フラップ５の基端縁を示しており、図中の点線および一点鎖線は折り曲げのための罫線を示している。
【００１４】
各開閉面Ｕ，Ｂの一対の内フラップ４，６は、外フラップ５，７と同じ延出長さ（左右方向の長さ）Ｌ１だけ側壁２から延出している。上下各開閉面Ｕ，Ｂの一対の外フラップ５，７は、その端壁３からの延出長さ（左右方向長さ）Ｌ１が開閉面の左右方向長さＬ２（又は側壁の左右方向長さ）の半分に実質的に等しく、封緘状態で互いの先端縁の全体が突き合わさるように構成されている。
【００１５】
以上の構成を基本として、上開閉面Ｕにおいて、一対の内フラップ４及び一対の外フラップ５が、それぞれ箱外側に折り曲げられた状態で非開閉面に固定できる一対の開放内フラップ４及び一対の開放外フラップ５として構成されている。図示形態の開放内フラップ４及び開放外フラップ５は、先端の両角が斜め方向に沿って切り取られているが、この切り取りは省略できる。
【００１６】
そして、非開閉面における糊代片８により接合される側壁２の一方の側部及び端壁３の一方の側部、並びにこれらからそれぞれ延出する開放内フラップ４の側部及び開放外フラップ５の側部を除いて、開放内フラップ４の側部に開放内フラップ切込み４ｘ、開放外フラップ５の側部に開放外フラップ切込み５ｘ、側壁２の側部に側壁切込み２ｘ、端壁３の側部に端壁切込み３ｘ、がそれぞれ設けられている。
【００１７】
より詳細には、開放外フラップ切込み５ｘは、開放外フラップ５の基端縁５ａと平行に且つその基端縁に対して第１の間隔Ｓ１を空けて、隣り合う開放内フラップ４側の側縁から延在されており、開放内フラップ切込み４ｘは、開放内フラップ４の基端縁４ａと平行に且つその基端縁４ａに対して第２の間隔Ｓ２を空けて、隣り合う開放外フラップ５側の側縁から延在されている。
【００１８】
また、端壁切込み３ｘは、開放姿勢で重なる開放外フラップ５の基端縁５ａと平行に且つその基端縁５ａに対して第３の間隔Ｓ３を空けて、隣り合う側壁２側の側縁から延在されており、側壁切込み２ｘは、開放姿勢で重なる開放内フラップ４の基端縁４ａと平行に且つその基端縁４ａに対して第４の間隔Ｓ４を空けて、隣り合う端壁３側の側縁から延在されている。そして、端壁切込み３ｘにおける隣り合う側壁２側の側縁と、側壁切込み２ｘにおける隣り合う端壁３側の側縁とが角部において直接的に連続している。なお、第３の間隔Ｓ３と第４の間隔Ｓ４とが異なる場合には、角部に沿う切込みを追加することにより間接的に連続させることもできる。
【００１９】
本発明では、第３の間隔Ｓ３は第１の間隔Ｓ１以上とされ、第４の間隔Ｓ４は第２の間隔Ｓ２以上とされる。特に、第１の間隔Ｓ１及び第２の間隔Ｓ２は互いに等しく、且つフラップの延出長さＬ１の１／２０〜３／４とされているのが好ましく、また、第３の間隔Ｓ３及び第４の間隔Ｓ４は互いに等しく、且つ非開閉面の高さＬ３の１／２０〜３／４とされているのが好ましい。更に、第１の間隔Ｓ１及び第２の間隔Ｓ２は、フラップの延出長さＬ１の１／２０〜１／３とされているとより好ましく、また、第３の間隔Ｓ３及び第４の間隔Ｓ４は、非開閉面の高さＬ３の１／２０〜１／３とされているとより好ましい。
【００２０】
また、開放内フラップ切込み４ｘの長さＬ７と開放外フラップ切込み５ｘの長さＬ８は同じで、且つ開放内フラップの幅Ｌ２の１／２０〜３／４の長さであるのが好ましい。側壁切込み２ｘの長さＬ９と端壁切込み３ｘの長さＬ１０は同じで、少なくとも開放内フラップ切込み４ｘの長さＬ７よりは長く、且つ開放内フラップの幅Ｌ２の１／２０〜３／４の長さであるのが好ましい。更に、開放内フラップ切込み４ｘの長さＬ７と開放外フラップ切込み５ｘの長さＬ８は、開放内フラップの幅Ｌ２の１／２０〜１／３の長さであるのがより好ましく、また、側壁切込み２ｘの長さＬ９と端壁切込み３ｘの長さＬ１０は、開放内フラップの幅Ｌ２の１／２０〜１／３の長さであるのがより好ましい。
【００２１】
かくして構成されたダンボール箱１では、封緘に際して、図３及び４に示すように、上下開閉面Ｕ，Ｂの各々において、両内フラップ４，６を内側に折り畳み、次いでその上に両外フラップ５，７を折り畳み、ステープルや粘着テープ、接着剤等の固定用副資材を用いて封緘する点では従来と同様である。
【００２２】
一方、上開閉面Ｕの開放固定に際しては図３〜６に順に示すように、両開放外フラップ５及び両開放内フラップ４を箱外側に折り曲げ、両開放外フラップ５を両端壁３外側に密着するよう接触させ、両開放内フラップ４を両側壁２外側に密着するよう接触させる。次いで、この開放姿勢で、開放内フラップ４における切込み４ｘと基端縁４ａとの間の第１押し込み部分Ｐ１、及び開放外フラップ５における切込み５ｘと基端縁５ａとの間の第２押し込み部分Ｐ２を、その内側に位置する、端壁３における開放外フラップ５の基端縁５ａと端壁切込み３ｘとの間の部分から側壁２における開放内フラップ４の基端縁４ａと側壁切込み２ｘとの間の部分までの非開閉面の角部として定まる押し込み部分Ｐ３とともに一体的に箱内側に押し込むことにより、開放外フラップ５及び開放内フラップ４を開放状態で固定することができる。図６は、押し込み後の状態を示しており、押し込み部分Ｐ１〜Ｐ３が横断面くの字状をなして箱内側に窪んでいる。
【００２３】
＜他の実施形態＞
上記実施形態では、直方体状のダンボール箱の例を示したが、本発明はこれに限定されるものではなく、立方体状であっても、またその他の立体形状であっても良い。要は、開放フラップを開放姿勢とした状態で、開放フラップにおける切込みと基端縁との間の部分が、その内側にあって、隣り合う側面部における開放フラップの基端縁と側面部切込みとの間の部分として定まる非開閉面の角部とともに一体的に箱内側に押し込まれることにより、開放フラップが側面部に固定されればよい。また、上記実施形態では、上開閉面Ｕのみ開放固定機能を備え付けているが、これに代えて又はこれとともに、下開閉面Ｂに同様の開放固定機能を備え付けることができる。さらに、上記実施形態と異なり、切込み２ｘ，３ｘ，４ｘ，５ｘを、非開閉面の４つの角部のうち平面視で対角方向において対向する一対の角部をなす側壁２の側部及び端壁３の側部、並びにこれらからそれぞれ延出する開放内フラップ４の側部及び開放外フラップ５の側部にのみ設けるだけでも、全ての開放内フラップ４及び開放外フラップ５を固定することが可能である。もちろん、非開閉面の４つの角部全ての角部をなす側壁２の側部及び端壁３の側部、並びにこれらからそれぞれ延出する開放内フラップ４の側部及び開放外フラップ５の側部に設けることもできる。
【産業上の利用可能性】
【００２４】
本発明は、ダンボール箱に適用できるものである。
【図面の簡単な説明】
【００２５】
【図１】本発明に係るダンボール箱の展開図である。
【図２】展開図の一部拡大図である。
【図３】ダンボール箱の封緘状態を示す斜視図である。
【図４】ダンボール箱の開放作業途中を示す斜視図である。
【図５】ダンボール箱の開放作業途中を示す斜視図である。
【図６】ダンボール箱の開放固定状態を示す斜視図である。
【符号の説明】
【００２６】
１…ダンボール箱、２…側壁、３…端壁、４…開放内フラップ、５…開放外フラップ、６…内フラップ、７…外フラップ、８…糊代片、４ａ…基端縁、５ａ…基端縁、２ｘ…側壁切込み、３ｘ…端壁切込み、４ｘ…内フラップ切込み、５ｘ…外フラップ切込み。
【図１】
2008254750.tif 000003
【図２】
2008254750.tif 000004
【図３】
2008254750.tif 000005
【図４】
2008254750.tif 000006
【図５】
2008254750.tif 000007
【図６】
2008254750.tif 000008